【事件の表示】
　特許第２８４７１６７号「通信システムならびに通信方法」の請求項１ないし５、１４ないし１５、２０ないし２４に係る特許に対する特許異議の申立てについて、次のとおり決定する。
【結　論】
　特許第２８４７１６７号の請求項１ないし５、１４ないし１５、２０ないし２４に係る特許を取り消す。
【理　由】
１.手続の経緯
　本件特許第２８４７１６７号に係る出願は、平成２年２月９日（パリ条約による優先権主張１９８９年３月２日）の出願であって、平成１０年１１月６日に特許の設定登録がされ、その後その特許請求の範囲における請求項１〜５、１４、１５、２０〜２４に係る発明について、異議申立人三菱電機株式会社により特許異議の申立てがなされ、取消理由通知がなされたものである。
２．本件請求項１〜５、１４、１５、２０〜２４に係る発明
　本件特許の請求項１〜５、１４、１５、２０〜２４に係る発明は、特許請求の範囲の請求項１〜５、１４、１５、２０〜２４に記載された事項により特定される次のとおりのものである。
【請求項１】音声、ファクシミリおよび非ファクシミリ音声帯域データ信号を伝送する複数の電話通信トランクを伝送網に接続する通信システムであって、
前記伝送網の少なくとも第１の端部に設けた送信機が、前記複数の電話通信トランクからの信号を受信して、前記ファクシミリ信号にのみ含まれる特有の信号を検出することにより、他の音声帯域データ信号から前記ファクシミリ信号を識別して検出する少なくとも１つのファクシミリ検出器と、前記ファクシミリ検出器によって検出した少なくとも幾つかの前記ファクシミリ信号を受信して復調することにより復調したファクシミリ信号を作る少なくとも１つのファクシミリ復調器と、
前記復調したファクシミリ信号を受信して、前記復調したファクシミリ信号を前記伝送網に伝送するインタフェースと
を具備することを特徴とする通信システム。
【請求項２】前記伝送網の少なくとも第２の端部に設けた受信機が、前記伝送網を通して送信した前記復調したファクシミリ信号を受信し、前記復調したファクシミリ信号を変調して音声帯域の変調したファクシミリ信号を作るファクシミリ変調器を具備する請求項１記載の通信システム。
【請求項３】前記復調器が、ファクシミリ信号のみを復調する請求項１または請求項２記載の通信システム。
【請求項４】前記ファクシミリ検出器が、複数のファクシミリモードで動作する信号シーケンス特性を検出する請求項１〜３のいずれか１項記載の通信システム。
【請求項５】前記ファクシミリ検出器が、Ｔ．３０規格に対応しない信号による前記ファクシミリ信号を検出する請求項１〜４のいずれか１項記載の通信システム。
【請求項１４】前記ファクシミリ検出器によって検出された信号以外の信号の少なくとも一部である他の信号を圧縮する信号圧縮器と、前記他の信号を前記伝送網を通して送信するインタフェースとを含む伝送システムを具備する請求項１〜６のいずれか１項記載の通信システム。
【請求項１５】前記ファクシミリ検出器に応答して、前記電話通信トランクを通して受信した信号を前記復調器または前記圧縮器のいずれか一方に切り換えるスイッチを具備する請求項１４記載の通信システム。
【請求項２０】前記信号圧縮器が、前記他の信号を、前記他の信号の分類別に従って圧縮すると共に、前記送信機が、前記分類を表す信号を前記伝送網に送信する請求項１４〜１９のいずれか１項記載の通信システム。
【請求項２１】音声、ファクシミリおよび非ファクシミリ音声帯域データ信号を搬送する第１の複数の電話通信チャンネルで構成した複数の電話通信トランクを、第２の複数の伝送チャンネルで構成した伝送網に接続する通信システムであって、
前記伝送網の少なくとも第１の端部に配置した伝送手段が、
前記第１の複数の電話通信チャンネル上の信号を検出して、各前記電話通信チャンネルを前記第２の複数の伝送チャンネルの利用可能なものに割り当てる手段と、
前記第１の複数の電気通信チャンネル上の信号を、少なくともファクシミリ信号と前記ファクシミリ信号以外の他の信号とに分類する手段
前記ファクシミリ信号と前記ファクシミリ信号以外の他の音声帯域データ信号とを識別して選択したファクシミリ信号のみを復調して復調したファクシミリ信号を得る第１の手段と、
前記他の信号を圧縮して、圧縮した他の信号を得る第２の手段と、
前記復調したファクシミリ信号と前記圧縮した他の信号とを前記第２の複数の伝送チャンネルに接続する手段と、
前記割り当てと前記分類とにもとづく信号を前記第２の複数の伝送チャンネルによる前記伝送網に通信する手段と、
を具備し、
前記伝送網の少なくとも第２の端部に配置した伝送手段が、
前記通信する出力からの通信を受信して、前記伝送網を通して受信した第２の複数の信号の割り当てと分類とを決める手段と、
前記伝送網を通して受信した前記復調したファクシミリ信号を変調する第３の手段と、
前記伝送網を通して受信した前記他の信号を圧縮解除する第４の手段と、
前記第２の複数の伝送チャンネル上の信号を、前記分類にもとづいて、前記第３の手段と前記第４の手段とに接続する手段と
を具備することを特徴とする通信システム。
【請求項２２】音声、ファクシミリおよび非ファクシミリ音声帯域データ信号を搬送する複数の電話通信トランクを第２の複数の伝送チャンネルで構成した伝送網に接続する通信方法であって、
ファクシミリ信号のみがもつ信号シーケンス特性を検出することにより、前記ファクシミリ信号を前記複数の電話通信トランクから受信した前記ファクシミリ信号以外の他の音声帯域データ信号から識別して検出し、
少なくとも、いくつかの前記検出により得られた前記ファクシミリ信号を、復調したファクシミリ信号に形成するために復調し、
前記復調したファクシミリ信号を前記伝送網を通して送信する
構成をもつことを特徴とする通信方法。
【請求項２３】前記ファクシミリ信号の検出が、ファクシミリ信号の複数の動作モードの信号シーケンス特性を検出する請求項２２記載の通信方法。
【請求項２４】前記復調を、前記信号シーケンス特性の検出により得られた前記動作モードによって行うように決定する請求項２２または請求項２３記載の通信方法。
３．申立て理由の概要
　申立人三菱電機株式会社は、証拠として甲第１号証（特開昭６３ー２３７６２４号公報）、甲第２号証（特開昭６２−２３３９５２号公報）、甲第３号証（特開昭６２−１４３５３１号公報）、甲第４号証（特開昭６２−５７４５号公報）、及び甲第５号証（特開昭５３−８５１２号公報）を提出し、請求項１〜５、１４、１５、２０〜２４に係る各発明は、特許法第２９条第２項の規定に違反してなされたものであるから、特許を取り消すべき旨主張している。
４．刊行物記載の発明
　これに対し、当審において通知した取消理由通知で引用した刊行物１（甲第１号証）には、次の事項が記載されている。
(A)「モデム信号と音声信号とを識別する信号識別回路(1)と、前記モデム信号を識別したとき該モデム信号を復調してその伝送速度に最も近い伝送速度で該モデム信号を送出するモデム信号送出回路(2)と、前記音声信号を識別したとき該音声信号の音声帯域を圧縮して送出する音声圧縮回路(3)と、を含むことを特徴とする時分割多重化装置」（特許請求の範囲）
(B)「Ｇ３（注：制限文字のためＧ３と表記）ファクシミリの伝送速度は９．６Ｋｂｐｓであるが、変調されて音声帯域アナログ信号で送出されるため、ディジタルネットワークで使用される場合は、３２ｋｂｐｓを専有してしまうという問題点があった。従って、本発明の目的は、中継リンク数を増やしてもモデム信号の品質劣化がなく且つ効率的にディジタル回線を専有できる時分割多重化装置を実現することである。」（第２ページ右下欄１０行ないし右下欄２０行）
(C)「第１図に示す時分割多重化装置では、入力信号がファクシミリ信号等のモデム信号かまたは音声信号かを信号識別回路１で識別し、モデム信号の場合は、モデム信号送出回路２において復調した上、モデム信号の速度に最も近い伝送速度で伝送路に送出するともに、音声信号の場合は音声圧縮回路３で音声帯域を圧縮して伝送路に送出する。従って、モデム信号の場合には帯域圧縮は受けず、また、音声信号の帯域全体に渡って専有するようなことがない。」（第３ページ左上欄１２行ないし右上欄２行）
(D)「次に、この実施例の動作を説明すると、まず、ファクシミリＦ又は電話機ＴからＰＢＸを介して時分割多重化装置１０の信号識別回路１に入力された音声帯アナログ信号（０．３〜３．４ＫＨｚ）が、ＣＣＩＴＴ勧告Ｖ．２９のモデムトレーニングパルス検出の場合、信号識別回路１はその入力信号をＧ３（注：制限文字のためＧ３と表記）ファクシミリ信号と認識してモデム信号送出回路２内のＶ．２９の復調器２１に送出する。モデムトレーニングパルスを検出しない場合は、信号識別回路１は入力信号を音声信号と認識して音声圧縮回路３に送出する。一方、信号識別回路１での識別結果はそれぞれＴＤＭパス制御回路１１に通知される。復調器２１に入力されたファクシミリ・アナログ信号はＣＣＩＴＴ勧告Ｖ．２４/Ｖ．２８のディジタル信号（９．６Ｋｂｐｓ）に復調され、更にインタフェース変換回路２２によりＴＴＬ信号レベルに変換される。そして、このレベル変換された９．６Ｋｂｐｓのディジタル信号は速度変換回路２３により１６Ｋｂｐｓに変換され、第３図に示すようにＴＤＭパス１２の６４Ｋｂｐｓ（８ビット・８ＫＨｚ）領域中の１６Ｋｂｐｓ（２ビット・８ＫＨｚ）領域に収容する。信号識別回路１への入力信号が音声信号であったときは、音声圧縮回路３において３２Ｋｂｐｓ又は１６Ｋｂｐｓに圧縮され、ＴＤＭパス１２の６４Ｋｂｐｓ領域中の３２Ｋｂｐｓ（４ビット：第３図参照）の領域に収容する。信号識別回路１での識別結果を既に受けているＴＤＭバス制御回路１１は、ＴＤＭバス１２に入力される信号速度に応じたバス領域を確保するとともに対向先の装置の時分割多重化装置（図示せずにも通知する。このようにして、端末からのアナログ信号を時分割多重化して適当な伝送速度で対向する装置に送る。」（第３ページ左下欄１０行ないし第４ページ左上欄４行）
　同じく当審において通知した取消理由通知で引用した刊行物２（甲第２号証）には、次の事項が記載されている。
(E)「ここで、電話網からの呼出による自動着信の場合、相手側は、通話のために電話をかけている場合（たとえば、公衆電話から電話をかけている場合）があるので、まず、モニタを開始する。そして、相手側から有意信号（たとえば、プリアンブル、ＧＣ１、ＧＣ２、ＰＨＳ信号等）を検出したときにモニタをオフする。もし、相手側が通話の目的で電話を掛けている場合は、自機のファクシミリ装置において相手側の声が全部モニタされる。このために、自機のファクシミリ装置のオペレータは、相手側が通話を要求していることが認識できる。もし、相手側が通信の目的で電話をかけている場合は、自機のファクシミリ装置は、有意信号を検出したときに、モニタがオフされ、その後、ファクシミリ伝送が行なわれる。」（第３ページ右上欄１２行ないし左下欄６行）
　同じく当審で通知した取消理由通知で引用した刊行物３（甲第３号証）には、次の事項が記載されている。
(F)「複合端末装置を収容する時分割電子交換機を時分割多重化回線を介して接続するディジタル通信ネットワークにおいて、符号化された音声情報を圧縮する音声圧縮回路と、前記音声情報のレベルを常時識別する回路と、ファクシミリの変復調信号を検出しデータ信号に変換する復調回路と、音声情報およびデータ情報の通信容量の割り当てを制御する回路とから構成される送信装置、および、該送信装置から送信された信号を受信して音声情報とデータ信号に分類する回路と、ファクシミリのデータ信号を変調信号に変調する回路と圧縮された音声信号を伸張する回路と、該回路の出力を復号化する回路とから構成される受信装置を備え、同一チャネルあるいは同一加入者線で音声とデータを同時に伝送することを特徴とする音声・データ複合通信装置。」（特許請求の範囲第６項）
(G)「デジタルトランク回線１０から送られてくる加入者端末１（第１図）の情報は、デジタルトランク回線アダプタ装置１２内のデジタルトランク回線用フレーム分解回路２０にて、音声情報ｄ，ファクシミリの変復調情報ｅおよびデータ情報ｆに分解される。分解された３つの情報ｄ，ｅ，ｆは、夫々の情報の性質に則した分析器（音声情報ｄは符号化された音声のレベル検出器２１，ファクシミリの変復調情報ｅは符号化されたファクシミリの変復調信号用変調器２２，データ情報ｆはデータのアイドル状態検出とデータの変換を行なうデータ変換器２３）を介して情報の有/無を調べる」（第３ページ右上欄７行ないし１９行）
　同じく当審で通知した取消理由通知で引用した刊行物４（甲第４号証）には、次の事項が記載されている。
(H)「複数の通信チャネルを有する送信トランクリンクを、第２の複数の電話通信トランクに相互接続するためのデジタル回線多重化装置であって、前記通信チャネルはベアラビットストリームを介して伝送され、前記第２の複数は前記最初の複数よりも多く、前記第２の複数の電話通信トランクの信号を検出するための手段と、信号が存在する各電話通信回線を前記第１の複数の通信チャネルの使用可能チャネルに割り当て、かつその割当を示す割当メッセージを与えるための手段とを有する、送信トランクリンクの第１の端部にある送信装置と、前記第１の複数の通信チャネルに結合され、ビットが減少された形態において音声信号を送信するように動作する、適応差動パルス符号変調送信手段と、前記適応差動パルス符号変調送信手段の出力を受け、その出力を前記第１の複数の通信チャネルに沿って前記割当メッセージと結合するための結合手段と、前記送信リンクの第２の端部にあり、前記結合手段を介して伝送される前記音声信号および割当メッセージを受信し、そこから前記割当メッセージを分離するように動作する、信号受信およびメッセージ検出手段と、前記信号受信およびメッセージ検出手段に結合され、前記割当メッセージを受け取り、前記送信装置から受信する割当情報に基づき、信号を搬送する各前記第１の複数の通信チャネルを前記第２の複数の電話通信回線の対応する一つに割り当てる、受信装置とを具備する、デジタル回線多重化装置」（特許請求の範囲）
５．対比・判断
(1)請求項１に係る発明について
　請求項１に係る発明と刊行物１に記載された発明とを対比すると、
　ａ．刊行物１に記載された発明は、ファクシミリＦ又は電話機Ｔから入力されるファクシミリ等のモデム信号及び音声信号（音声帯アナログ信号）を時分割多重化装置１０に入力し、時分割多重化装置１０は、音声信号及びファクシミリ信号等のモデム信号を多重化して伝送路（伝送網）に送出するものであり（前記(A)、(C)、(D)参照）、かかる時分割多重化装置は、音声、ファクシミリ音声帯域データ信号を伝送する複数の電話通信トランクを伝送網に接続するものであることが明らかであるから、刊行物１に記載された発明と本件請求項１に係る発明とは、「音声、ファクシミリ音声帯域データ信号を伝送する複数の電話通信トランクを伝送網に接続する通信システム」であるという点で一致する。
　ｂ．刊行物１に記載された発明における信号識別回路１は、入力信号がファクシミリ信号等のモデム信号か又は音声信号かを識別するものである（前記(A)、(C)、(D)参照）から、本件請求項１に係る発明における「ファクシミリ検出器」とは、「ファクシミリ信号にのみ含まれる特有の信号を検出する」点、及び、「他の信号」が「他の音声帯域データ信号」である点は別として、「前記複数の電話通信トランクからの信号を受信して、他の信号から前記ファクシミリ信号を検出する少なくとも１つのファクシミリ検出器」である点で一致する。
　ｃ．刊行物１に記載された発明における復調器２１は、信号識別回路１がファクシミリ信号等のモデム信号と識別した場合、そのモデム信号を復調するものである（前記(A)、(C)、(D)参照）から、本件請求項１に係る発明における「ファクシミリ復調器」に相当する。
　ｄ．刊行物１に記載された発明におけるインタフェース変換回路２２、速度変換回路２３、ＴＤＭバス１２等の手段は、復調器２１で復調したファクシミリ信号等のモデム信号を伝送路（伝送網）に送出するものである（前記(D)参照）から、本件請求項１に係る発明における「インターフェイス」に相当する。
　したがって、両者は、「音声、ファクシミリ音声帯域データ信号を伝送する複数の電話通信トランクを伝送網に接続する通信システムであって、前記伝送網の少なくとも第１の端部に設けた送信機が、前記複数の電話通信トランクからの信号を受信して、他の信号から前記ファクシミリ信号を識別して検出する少なくとも１つのファクシミリ検出器と、前記ファクシミリ検出器によって検出した前記ファクシミリ信号を受信して復調することにより復調した少なくとも幾つかのファクシミリ信号を作る少なくとも１つのファクシミリ復調器と、前記復調したファクシミリ信号を受信して、前記復調したファクシミリ信号を前記伝送網に伝送するインターフェイスとを具備する通信システム」である点で一致し、次の各点で相違する。
　ア．本件請求項１に係る発明は、伝送網に接続する複数の電話通信トランクを、「音声、ファクシミリおよび非ファクシミリ音声帯域データ信号を伝送する複数の電話通信トランク」とするのに対し、刊行物１に記載された発明は、音声及びファクシミリ音声帯域データ信号を伝送する複数の電話通信トランクを有するものの、非ファクシミリ音声帯域データ信号を伝送するトランクを有していない点。
　イ．本件請求項１に係る発明のファクシミリ検出器は、「ファクシミリ信号にのみ含まれる特有の信号を検出することにより」、「他の音声帯域データ信号から」ファクシミリ信号を識別して検出するのに対し、刊行物１に記載された発明は、ＣＣＩＴＴ勧告Ｖ．２９のモデムトレーニングパルスを検出することにより音声信号からファクシミリ信号を識別して検出する点。
　そこで、相違点アについて検討すると、
　音声、ファクシミリおよび非ファクシミリデータ信号を伝送する電話通信トランクは、刊行物３に記載されている(前記(G)参照)。刊行物３には、非ファクシミリデータ信号の周波数帯域が音声帯域である点について記載されていないが、非ファクシミリデータ信号の周波数帯域を音声帯域とした点に技術的な意義があるものではない。また、音声、ファクシミリおよび非ファクシミリ音声帯域データ信号を伝送する電話通信トランクは、当業者に周知である（必要であれば、特開昭６３−２３２６５７号公報参照）。したがって、刊行物３に記載された発明又は前記周知技術を勘案すれば、伝送網に接続する複数の電話通信トランクを、「音声、ファクシミリおよび非ファクシミリ音声帯域データ信号を伝送する複数の電話通信トランク」とすることは、当業者が格別の創意工夫を要することなくなし得ることである。
　次に、相違点イについて検討すると、
　刊行物１に記載された発明において、伝送網に接続する複数の電話通信トランクを、「音声、ファクシミリおよび非ファクシミリ音声帯域データ信号を伝送する複数の電話通信トランク」とした場合、ファクシミリ信号を、復調器２１で復調するためには、ファクミリ信号を他の信号である音声信号、および非ファクシミリ音声帯域信号から識別して検出することが当然に必要となり、そして、刊行物２には、ファクシミリ信号にのみ含まれる有意信号（たとえば、プリアンブル、ＧＣ１、ＧＣ２、ＰＨＳ）を検出することにより、音声信号からファクシミリ信号を検出することが記載されている（前記(E)参照）から、刊行物１に記載された発明において、ファクシミリ検出器を、「ファクシミリ信号にのみ含まれる特有の信号を検出することにより」、「他の音声帯域データ信号から」ファクシミリ信号を識別して検出するように構成することは、当業者が格別の創意工夫を要することなくなし得ることである。
(2)請求項2に係る発明について
 請求項２に係る発明と、刊行物１に記載された発明とを対比すると、刊行物１に記載された発明における時分割多重化装置１０は、伝送路を介して対向する時分割多重化装置と接続されており(前記(D)参照）、この対向する時分割多重化装置は、本件請求項２に係る発明における「伝送路の少なくとも第２の端部に設けた受信機」と言うことができるから、両者は、「前記伝送網の少なくとも第２の端部に設けた受信機を具備する請求項１記載の通信システム」である点で一致し、前記ア、イに示した相違点に加え下記の点で更に相違する。
　ウ．請求項２に係る発明は、前記伝送網の少なくとも第２の端部に設けた受信機が、「前記伝送網を通して送信した前記復調したファクシミリ信号を受信し、前記復調したファクシミリ信号を変調して音声帯域の変調したファクシミリ信号を作るファクシミリ変調器を具備する」のに対し、刊行物１に記載された発明は、そのような構成を具えていない点。
　そこで、前記各相違点について検討すると、相違点ア、イについては、前記請求項１に係る発明で示した判断のとおりである。
　次に、相違点ウについて検討すると、通信システムにおける受信側の構成は、甲第３号証に記載されている（前記(F)参照）ように、送信側の構成の逆変換で構成されることが技術常識であるから、前記伝送網の少なくとも第２の端部に設けた受信機が、「前記伝送網を通して送信した前記復調したファクシミリ信号を受信し、前記復調したファクシミリ信号を変調して音声帯域の変調したファクシミリ信号を作るファクシミリ変調器を具備する」ように構成することは、当業者が格別の創意工夫を要することなくなし得ることである。
(3)請求項３に係る発明について
　請求項３に係る発明と、刊行物１に記載された発明とを対比すると、両者は、前記請求項１に係る発明で示した点で一致し、前記相違点ア、イに加え、下記の点で更に相違する。
　エ．請求項３に係る発明は、「前記復調器が、ファクシミリ信号のみを復調する」のに対し、刊行物１に記載された発明における復調器２１は、ファクシミリ信号のみを復調するのかどうか明記されていない点。
　そこで、前記各相違点について検討すると、相違点ア、イについては、前記請求項１に係る発明で示した判断のとおりである。
　次に、相違点エについて検討すると、刊行物１に記載された発明は、Ｇ３ファクシミリは、変調されて音声帯域アナログ信号で送出されるため、ディジタルネットワークで使用される場合は、３２ｋｂｐｓを専有してしまうという問題点に鑑み、効率的にディジタル回線を専有できる時分割多重化装置を実現することを目的としてなされたものである（前記(B)参照）。したがって、この目的に鑑みると、復調器２１はファクシミリ信号のみを復調すれば良いことが、当業者に明らかであるから、刊行物１に記載された発明において、「前記復調器が、ファクシミリ信号のみを復調する」ように構成することは、当業者が格別の創意工夫を要することなくなし得ることである。
(4)請求項４に係る発明について
　請求項４に係る発明と、刊行物１に記載された発明とを対比すると、両者は、前記請求項１に係る発明で示した点で一致し、前記相違点ア、イに加え、下記の点で更に相違する。
　オ．請求項４に係る発明は「前記ファクシミリ検出器が、複数のファクシミリモードで動作する信号シーケンス特性を検出する」のに対して、刊行物１に記載された発明は、そのような検出をしていない点。
　そこで、前記各相違点について検討すると、相違点ア、イについては、前記請求項１に係る発明で示した判断のとおりである。
　次に、相違点オについて検討すると、甲第２号証には、ファクシミリ信号のプリアンブルを検出することによりファクシミリ信号を検出することが記載され（前記(E)参照）、このプリアンブルは一連のフラッグからなり、信号シーケンス特性を有することが当業者に周知であり、また、複数のファクシミリモードがある場合には、それに応じたシーケンス特性を検出しなければならないことが明らかであるから、「前記ファクシミリ検出器が、複数のファクシミリモードで動作する信号シーケンス特性を検出する」ように構成することは、当業者が格別の創意工夫を要することなくなし得ることである。
(5)請求項５に係る発明について
　請求項５に係る発明と、刊行物１に記載された発明とを対比すると、両者は、前記請求項１に係る発明で示した点で一致し、前記相違点ア、イに加え、下記の点で更に相違する。
　カ．請求項５に係る発明は、「前記ファクシミリ検出器が、Ｔ．３０規格に対応しない信号による前記ファクシミリ信号を検出する」のに対して、刊行物１に記載された発明は、そのような検出をしていない点。
　そこで、前記各相違点について検討すると、相違点ア、イについては、前記請求項１に係る発明で示した判断のとおりである。
　次に、相違点カについて検討すると、どのようなファクシミリ信号を検出対象として選択するかは、当業者が必要に応じて適宜選択しうる程度のことであるので、「前記ファクシミリ検出器が、Ｔ．３０規格に対応しない信号による前記ファクシミリ信号を検出する」ように構成することは、当業者が格別の創意工夫を要することなくなし得ることである。
(6)請求項１４に係る発明について
　請求項１４に係る発明と、刊行物１に記載された発明とを対比すると、刊行物１に記載された発明における音声圧縮回路３は、ファクシミリ検出器で検出されたファクシミリ信号以外の音声信号を圧縮し、ＴＤＭバス１２を介して対向装置に送信するものである（前記(D)参照）から、本件請求項１４に係る発明における信号圧縮器に相当し、また、前記ＴＤＭバスは、前記圧縮した音声信号を伝送路（伝送網）を通して伝送するインタフェースと言うことができるから、両者は、「前記ファクシミリ検出器によって検出された信号以外の信号の少なくとも一部である他の信号を圧縮する信号圧縮器と、前記他の信号を前記伝送網を通して送信するインタフェースとを含む伝送システムを具備する請求項１記載の通信システム」である点で一致し、前記請求項１に係る発明において示した相違点ア、イで相違する。
　そこで、前記各相違点について検討すると、相違点ア、イは、前記請求項１に係る発明で示した判断のとおり、当業者が格別の創意工夫を要することなくなし得ることである。
(7)請求項１５に係る発明について
　請求項１５に係る発明と、刊行物１に記載された発明とを対比すると、刊行物１に記載された発明における信号識別回路１は、前記請求項１に係る発明についての判断で示した（前記(1)ｂ参照）ように、「前記複数の電話通信トランクからの信号を受信して、他の信号から前記ファクシミリ信号を検出する少なくとも１つのファクシミリ検出器」である点で請求項１５に係る発明と一致するものであるが、該信号識別回路１は、ファクシミリ信号を識別する前記機能の他に、信号識別の結果、ファクシミリ信号の場合はその入力信号を復調器２１に送出し、音声信号の場合は音声圧縮回路に送出する機能も有するものであり（前記(D)参照）、そして、その切り替えをスイッチで行うことは、技術常識にすぎないから、
両者は、前記請求項１４に係る発明で示した点で一致し、前記相違点ア、イで相違する。
　そこで、前記各相違点を検討すると、相違点ア、イは、前記請求項１４に係る発明で示した判断のとおり、当業者が格別の創意工夫を要することなくなし得ることである。
(8)請求項２０に係る発明について
　請求項２０に係る発明と、刊行物１に記載された発明とを対比すると、両者は、前記請求項１４に係る発明で示した点で一致し、前記相違点ア、イに加え、下記の点で更に相違する。
キ．請求項２０に係る発明は、「前記信号圧縮器が、前記他の信号を、前記他の信号の分類別に従って圧縮すると共に、前記送信機が、前記分類を表す信号を前記伝送網に送信する」のに対して、刊行物１に記載された発明における信号圧縮器は音声圧縮回路のみであり、「前記他の信号の分類別に従って圧縮」し、「前記分類を表す信号を前記伝送網に送信」していない点。
　そこで、前記各相違点について検討すると、相違点ア、イについては、前記請求項１４に係る発明で示した判断のとおりである。
　次に、相違点キについて検討すると、信号圧縮は、入力される信号の種類（分類別）に応じて行われるものであるから、入力される他の信号を複数種類とした場合に、入力される他の信号の分類別に従って圧縮することは当業者が容易になしうることである。また、分類別に圧縮された圧縮信号を対向する受信側に送出するようにした場合、送信側から前記分類別を表す信号を送出しないと、受信側は、信号の種類に応じた圧縮信号の解除を行うことができないから、このような分類別を表す信号を伝送網に送出することは、当業者が容易になし得ることである。したがって、「前記信号圧縮器が、前記他の信号を、前記他の信号の分類別に従って圧縮すると共に、前記送信機が、前記分類を表す信号を前記伝送網に送信する」ように構成することは、当業者が格別の創意工夫を要することなくなし得ることである。
　
(9)請求の範囲第２１項に係る発明について
　請求項２１に係る発明と、刊行物１に記載された発明とを対比すると、
ａ．刊行物１に記載された発明は、ファクシミリＦ又は電話機Ｔから入力されるファクシミリ等のモデム信号及び音声信号（音声帯アナログ信号）を時分割多重化装置１０に入力し、時分割多重化装置１０は、音声信号及びファクシミリ信号等のモデム信号を多重化して伝送路（伝送網）に送出するものであり（前記(A)、(C)、(D)参照）、前記時分割多重化装置１０は、音声、ファクシミリ音声帯域データ信号を搬送する第１の複数の電話通信チャンネルで構成した複数の電話通信トランクを、第２の複数の伝送チャンネルで構成した伝送網に接続するものであることが当業者に明らかであるから、刊行物１に記載された発明と本件請求項２１に係る発明とは、「音声、ファクシミリ音声帯域データ信号を搬送する第１の複数の電話通信チャンネルで構成した複数の電話通信トランクを、第２の複数の伝送チャンネルで構成した伝送網に接続する通信システム」であるという点で差異がない。
　また、前記時分割多重化装置１０は、「前記伝送網の少なくとも第１の端部に配置した伝送手段」ということができるので、刊行物１に記載された発明と、本件請求項２１に係る発明は、「前記伝送網の少なくとも第１の端部に配置した伝送手段」を具える点で差異がない。
　ｂ．刊行物１に記載された発明における信号識別回路１は、入力信号がファクシミリ信号等のモデム信号か又は音声信号かを識別し、識別の結果、ファクシミリ信号の場合は復調器２１に、音声信号の場合は音声圧縮回路に入力信号を振り分けるものであり（前記(A)、(C)、(D)参照）、前記識別による入力信号の振り分けは、ファクシミリ信号とファクシミリ信号以外の他の信号とに分類するものといえるから、本件請求項２１に係る発明における「前記第１の複数の電気通信チャンネル上の信号を、少なくともファクシミリ信号と前記ファクシミリ信号以外の他の信号とに分類する手段」に相当する。
　ｃ．刊行物１に記載された発明における復調器２１は、信号識別回路１がファクシミリ信号等のモデム信号と識別した場合、そのモデム信号を復調するものである（前記(A)、(C)、(D)参照）から、「第１の手段」がファクシミリ信号のみを復調するのかどうかは別として、「前記ファクシミリ信号と前記ファクシミリ信号以外の他の信号とを識別して選択したファクシミリ信号を復調して復調したファクシミリ信号を得る第１の手段」であるという点で、請求項２１に係る発明における「第１の手段」と一致する。
　ｄ．刊行物１に記載された発明における音声圧縮回路３は、ファクシミリ検出器で検出されたファクシミリ信号以外の音声信号を圧縮するものである（前記(D)参照）から、本件請求項２１に係る発明における「前記他の信号を圧縮して、圧縮した他の信号を得る第２の手段」に相当する。
　ｅ．刊行物１に記載された発明におけるＴＤＭ制御回路１１は、復調器２１で復調されたファクシミリ信号及び音声圧縮回路３で圧縮された音声信号をＴＤＭバス１２に収容するものであるから、本件請求項２１に係る発明における「前記復調したファクシミリ信号と前記圧縮した他の信号とを前記第２の複数の伝送チャンネルに接続する手段」に相当する。
　ｆ．刊行物１に記載された発明は、信号識別回路での識別結果（分類）をＴＤＭバス１２を経て受信側の時分割多重化装置に通知するものである（前記(D)参照）から、刊行物１に記載された発明は、「前記分類にもとづく信号を前記第２の複数の伝送チャンネルによる前記伝送網に通信する手段」を具える点で、本件請求項２１に係る発明と差異がない。
　ｇ．刊行物１に記載された発明は、時分割多重化装置１０で多重化された信号を伝送路（伝送網）を介して対向先の装置の時分割多重化装置に送出するものである（前記(D)参照）から、「割り当てと分類とを決める手段」、「第３の手段」、「第４の手段」、「第２の複数の伝送チャンネル上の信号を、前記分類にもとづいて、前記第３の手段と前記第４の手段とに接続する手段」等の手段を具備する点は別として、「前記伝送網の少なくとも第２の端部に配置した伝送手段」を具える点で本件請求項２１に係る発明と一致する。
　したがって、両者は、
「音声、ファクシミリ音声帯域データ信号を搬送する第１の複数の電話通信チャンネルで構成した複数の電話通信トランクを、第２の複数の伝送チャンネルで構成した伝送網に接続する通信システムであって、
前記伝送網の少なくとも第１の端部に配置した伝送手段が、
前記第１の複数の電気通信チャンネル上の信号を、少なくともファクシミリ信号と前記ファクシミリ信号以外の他の信号とに分類する手段と、
前記ファクシミリ信号と前記ファクシミリ信号以外の他の信号とを識別して選択したファクシミリ信号を復調して復調したファクシミリ信号を得る第１の手段と、
前記他の信号を圧縮して、圧縮した他の信号を得る第２の手段と、
前記復調したファクシミリ信号と前記圧縮した他の信号とを前記第２の複数の伝送チャンネルに接続する手段と、
前記分類にもとづく信号を前記第２の複数の伝送チャンネルによる前記伝送網に通信する手段と、
前記伝送網の少なくとも第２の端部に配置した伝送手段を具備することを特徴とする通信システム」である点で、一致し、
下記の点で相違する。
　ク．本件請求項２１に係る発明は、伝送網に接続する複数の電話通信トランクを、「音声、ファクシミリおよび非ファクシミリ音声帯域データ信号を伝送する複数の電話通信トランク」とするのに対し、刊行物１に記載された発明は、音声及びファクシミリを伝送する複数の電話通信トランクを有するものの、非ファクシミリ音声帯域データ信号を伝送するトランクを有していない点。
　ケ．本件請求項２１に係る発明は、「前記第１の複数の電話通信チャンネル上の信号を検出して、各前記電話通信チャンネルを前記第２の複数の伝送チャンネルの利用可能なものに割り当てる手段」を設けると共に、「伝送網に通信する手段」が「前記分類」に加え「前記割り当て」を前記伝送網に通信するようにしているのに対し、刊行物１に記載された発明は、前記手段について明記されていない点。
　コ．本件請求項２１に係る発明は、「第１の手段」が、ファクシミリ信号のみを復調するのに対して、刊行物１に記載された発明における復調器２１は、ファクシミリ信号のみを復調するのかどうか明記されていない点。
　サ．本件請求項２１に係る発明は、前記伝送網の少なくとも第２の端部に配置した伝送手段が、
「前記通信する出力からの通信を受信して、前記伝送網を通して受信した第２の複数の信号の割り当てと分類とを決める手段と、
前記伝送網を通して受信した前記復調したファクシミリ信号を変調する第３の手段と、
前記伝送網を通して受信した前記他の信号を圧縮解除する第４の手段と、
前記第２の複数の伝送チャンネル上の信号を、前記分類にもとづいて、前記第３の手段と前記第４の手段とに接続する手段」を具えるのに対して、刊行物１に記載された発明は、そのような手段を具えることについて明記されていない点。
　そこで、相違点クについて検討すると、相違点クは、前記請求項１に係る発明において、相違点アで示した理由と同趣旨により、当業者が格別の創意工夫を要することなくなし得ることである。
　次に、相違点ケについて検討すると、第１の複数の電話通信チャンネル上の信号を検出して、各前記電話通信チャンネルを第２の複数の伝送チャンネルの利用可能なものに割り当てる技術、及び前記割り当てと、伝送する信号の分類とに基づく信号を前記第２の複数の伝送チャンネルによる伝送網に通信する技術は、刊行物４に記載されている（前記(H)参照）ように、当業者に周知の技術であるから、「前記第１の複数の電話通信チャンネル上の信号を検出して、各前記電話通信チャンネルを前記第２の複数の伝送チャンネルの利用可能なものに割り当てる手段」を設けると共に、「伝送網に通信する手段」が「前記分類」に加え「前記割り当て」を前記伝送網に通信するように構成することは、当業者が格別の創意工夫を要することなくなし得ることである。
　次に、相違点コについて検討すると、この相違点は、前記請求項３における相違点エで示した判断のとおりである。
　次に、相違点サについて検討すると、「伝送網の少なくとも第２の端部に配置した伝送手段」に設けられる受信側の各手段は、「伝送網の少なくとも第１の端部に配置した伝送手段」に設けられる送信側の各手段の逆変換を行うものであるが、受信側で送信側の逆変換を行って元の信号を復元再生することは、技術常識であるので、送信側の各手段が前記の通り、当業者が容易になし得るものである以上、受信側に設けられる各手段についても、前記技術常識に鑑み当業者が容易になし得ることである。
　なお、本件請求項２１に係る発明において、前記「分類する手段」、「第２の手段」「接続する手段」で扱われる「他の信号」の意味は、第１の複数の電話通信チャンネルが音声、ファクシミリおよび非ファクシミリ音声帯域データ信号を搬送するものであるから、音声信号および非ファクシミリ音声帯域データ信号を意味するものと認められるが、これらの手段が他の信号を扱うものであるということは、伝送網に接続する電話通信トランクを、「音声、ファクシミリおよび非ファクシミリ音声帯域データ信号を伝送する複数の電話通信トランク」としたことに伴い当然に採用される構成にすぎない。
(10)請求項２２に係る発明について
　請求項２２ に係る発明と、刊行物１に記載された発明とを対比すると、両者は、
「音声、ファクシミリ音声帯域データ信号を搬送する複数の電話通信トランクを第２の複数の伝送チャンネルで構成した伝送網に接続する通信方法であって、
前記ファクシミリ信号を前記複数の電話通信トランクから受信した前記ファクシミリ信号以外の他の信号から識別して検出し、
少なくとも、いくつかの前記検出により得られた前記ファクシミリ信号を、復調したファクシミリ信号に形成するために復調し、
前記復調したファクシミリ信号を前記伝送網を通して送信する
構成を持つことを特徴とする通信方法」である点で一致し、次の各点で相違する。
　シ．本件請求項２２に係る発明は、伝送網に接続する複数の電話通信トランクを、「音声、ファクシミリおよび非ファクシミリ音声帯域データ信号を搬送する複数の電話通信トランク」とするのに対し、刊行物１に記載された発明は、音声及びファクシミリを搬送する複数の電話通信トランクを有するものの、非ファクシミリ音声帯域データ信号を搬送するトランクを有していない点。
　ス．本件請求項２２に係る発明は、「ファクシミリ信号のみがもつ信号シーケンス特性を検出することにより」、「他の音声帯域データ信号」からファクシミリ信号を識別して検出するのに対して、刊行物１に記載された発明では、ＣＣＩＴＴ勧告Ｖ．２９のモデムトレーニングパルスを検出することにより音声信号からファクシミリ信号を識別して検出する点。
　そこで、相違点シについて検討すると、この相違点サは、前記請求項１に係る発明において、相違点アで示した理由と同趣旨により、当業者が格別の創意工夫を要することなくなし得ることである。
　次に、相違点スについて検討すると、甲第２号証には、ファクシミリ信号のプリアンブルを検出することによりファクシミリ信号を検出することが記載され（前記(E)参照）、このプリアンブルは一連のフラッグからなり、信号シーケンス特性を有することが当業者に周知であるから、「ファクシミリ信号のみがもつ信号シーケンス特性を検出することにより」、「他の音声帯域データ信号」から」ファクシミリ信号を識別して検出するようにすることは、当業者が格別の創意工夫を要することなくなし得ることである。
(11)請求項２３に係る発明について
　請求項２３に係る発明と、刊行物１に記載された発明とを対比すると、両者は、請求項２２に係る発明で示した点で一致し、前記相違点シ、スに加え、下記の点で更に相違する。
　セ．請求項２３に係る発明は、「前記ファクシミリ信号の検出が、ファクシミリ信号の複数の動作モードの信号シーケンス特性を検出する」のに対して、刊行物１に係る発明は、このような検出を行っていない点。
　そこで、前記各相違点について検討すると、相違点シ、スについては、請求項２２に係る発明において示した判断のとおりである。
　次に、相違点セについては、複数のファクシミリモードがある場合には、それに応じたシーケンス特性を検出しなければならないから、「前記ファクシミリ信号の検出が、ファクシミリ信号の複数の動作モードの信号シーケンス特性を検出する」ように構成することは、当業者が格別の創意工夫を要することなくなし得ることである。
(12)請求項２4に係る発明について
 請求項２４項に係る発明と、刊行物１に係る発明とを対比すると、両者は、請求項２２に係る発明で示した点で一致し、前記相違点シ、スに加え、下記の点で更に相違する。
　ソ．請求項２４に係る発明は、「前記復調を、前記信号シーケンス特性の検出により得られた前記動作モードによって行うように決定する」のに対して、刊行物１に係る発明は、このような決定を行うことについて明記されていない点。
　そこで、前記各相違点について検討すると、相違点シ、スについては、請求項２２に係る発明において示した判断のとおりである。
　次に、相違点ソについては、ファクシミリ信号の復調を、ファクシミリ信号の動作モードに応じて行うことは、技術常識にすぎないから、「前記復調を、前記信号シーケンス特性の検出により得られた前記動作モードによって行うように決定する」ことは、当業者が格別の創意工夫を要することなくなし得ることである。
６．むすび
　したがって、本件請求項１〜５、１４、１５、２０〜２４に係る各発明は、甲第１号証ないし甲第４号証に記載された発明、及び周知技術に基いて、当業者が容易に発明をすることができたものであるから、本件発明の特許は、特許法第２９条第２項の規定に違反してなされたものであり、同法第１１３条第２号の規定に該当し、取り消すべきものである。
　よって、結論のとおり決定する。           
【異議決定日】
平成１２年８月２５日（２０００．８．２５）